(57)【要約】【課題】現地での電気接続作業が容易で防水性に優れる防水端子台の提供を目的とする。【解決手段】電線管に収容されたケーブルと電気接続するためのターミナル端子を収容したハウジングと、前記ハウジングと前記電線管に収容されたケーブルとの接続部を防水する防水部材とを備え、前記防水部材は前記ケーブルのケーブル内心線の外周部をシールする内心線シール部と、前記電線管の外周部をシールする電線管シール部と、前記接続部のハウジング側をシールするハウジングシール部とを有することを特徴とする。【選択図】  図６
2019009031.tif 000002
【特許請求の範囲】
【請求項１】
電線管に収容されたケーブルと電気接続するためのターミナル端子を収容したハウジングと、
前記ハウジングと前記電線管に収容されたケーブルとの接続部を防水する防水部材とを備え、
前記防水部材は前記ケーブルのケーブル内心線の外周部をシールする内心線シール部と、前記電線管の外周部をシールする電線管シール部と、前記接続部のハウジング側をシールするハウジングシール部とを有することを特徴とする防水端子台。
【請求項２】
前記ケーブルは複数のケーブル内心線を有し、前記防水部材は前記それぞれのケーブル内心線の外周部をシールする複数の内心線シール部を有することを特徴とする請求項１記載の防水端子台。
【請求項３】
前記ターミナル端子は前記ケーブル内心線の芯線に弾性係止する弾性係止接続部と、前記弾性係止接続部を開放状態に仮保持するための仮保持部とを有し、
前記弾性係止接続部を仮保持部に仮保持させた状態で前記芯線を前記ターミナル端子に向けて挿入し、前記弾性係止接続部を開放状態から弾性係止状態に切り換え可能であることを特徴とする請求項１又は２記載の防水端子台。
【請求項４】
前記ハウジング及び防水部材を覆う、カバー部材を備え、
前記カバー部材は下カバーと上カバーとを有するとともに下カバー又は上カバーに作用部を有し、
前記上カバーと下カバーとを係着させると前記作用部は前記弾性係止接続部を開放状態から弾性係止状態に切り換えるものであることを特徴とする請求項３記載の防水端子台。
【発明の詳細な説明】
【技術分野】
【０００１】
本発明は、電力ケーブルを接続するための端子台に関し、特に防水化を図った端子台に係る。
【背景技術】
【０００２】
例えば、太陽光発電システムの分野においては、各種パワーコンディショナーが使用されており、このパワーコンディショナーと電気接続する電力ケーブルは、芯線に丸型端子を圧着した後に、端子台にネジ固定し、電線管を通して外部につなぐ方法が一般的である。
しかし、このような接続作業を現場で行うには多くの工数が必要であり、ネジ締めの不完全による焼損等の恐れも生じる。
さらには、その防水作業も大変であった。
【０００３】
特許文献１には、接続ケーブルに密着する内側スリーブと端子ボックス本体のケーブル導通部に密着する外側スリーブとを一体的に形成した止水スリーブを開示する。
しかし、同公報に開示する止水スリーブは、ケーブル内心線毎に装着しなければならず、また電線管の防水を図ることができない。
【先行技術文献】
【特許文献】
【０００４】
【特許文献１】特開２０１０−１１８３９４号公報
【発明の概要】
【発明が解決しようとする課題】
【０００５】
本発明は、現地での電気接続作業が容易で防水性に優れる防水端子台の提供を目的とする。
【課題を解決するための手段】
【０００６】
本発明に係る防水端子台は、電線管に収容されたケーブルと電気接続するためのターミナル端子を収容したハウジングと、前記ハウジングと前記電線管に収容されたケーブルとの接続部を防水する防水部材とを備え、前記防水部材は前記ケーブルのケーブル内心線の外周部をシールする内心線シール部と、前記電線管の外周部をシールする電線管シール部と、前記接続部のハウジング側をシールするハウジングシール部とを有することを特徴とする。
本発明に係る防水端子台は、各種電気・電子機器をケーブル接続するのに用いることができ、例えばパワーコンディショナーの筐体に外部接続する端子台として用いることができる。
【０００７】
本発明において、ケーブルは複数のケーブル内心線を有し、前記防水部材は前記それぞれのケーブル内心線の外周部をシールする複数の内心線シール部を有していてもよく、防水部材にそれぞれのケーブル内心線を挿入し、次に電線管をこの防水部材に装着するだけで、容易に電気接続と防水を図ることができる。
【０００８】
本発明において、ターミナル端子は前記ケーブル内心線の芯線に弾性係止する弾性係止接続部と、前記弾性係止接続部を開放状態に仮保持するための仮保持部とを有し、前記弾性係止接続部を仮保持部に仮保持させた状態で前記芯線を前記ターミナル端子に向けて挿入し、前記弾性係止接続部を開放状態から弾性係止状態に切り換え可能であるようにすることもでき、ハウジング及び防水部材を覆う、カバー部材を備え、前記カバー部材は下カバーと上カバーとを有するとともに下カバー又は上カバーに作用部を有し、前記上カバーと下カバーとを係着させると前記作用部は前記弾性係止接続部を開放状態から弾性係止状態に切り換えるようにしてもよい。
【発明の効果】
【０００９】
本発明に係る防水端子台にあっては、ケーブル内心線の芯線を端子台のハウジングに挿入し、ターミナル端子に電気接続する際に、防水部材に設けた内心線シール部にてケーブル内心線の外周部がシールされ、上記防水部材に設けた電線管シール部にて電線管の外周部をシールすることができるので、接続作業が容易で且つ防水性に優れる。
【図面の簡単な説明】
【００１０】
【図１】本発明に係る防止端子台の構造例を示す。
【図２】ケーブル内心線を防水部材に挿入する状態を示す。
【図３】電線管を防水部材に挿入する状態を示す。
【図４】下カバーと下カバーとを係止させた状態を示す。
【図５】（ａ）〜（ｃ）は防水部材の斜視図を示す。
【図６】（ａ）は防水構造部の断面図を示し、（ｂ）は部分拡大図を示す。
【図７】（ａ）はターミナル端子とケーブルとの接続構造を示し、（ｂ）は部分拡大図を示す。
【図８】（ａ）は弾性係止接続部付近の断面図を示し、（ｂ）は部分拡大図を示す。
【発明を実施するための形態】
【００１１】
本発明に係る防止端子台の構造例を以下図に基づいて説明するが、本実施例に限定されない。
【００１２】
図１は、ケーブルを接続する前の防水端子台（以下、単に端子台と称する）を示す。
端子台は、後述するターミナル端子を収容したハウジング１０と、ハウジング１０に装着する防水部材２０を備え、このハウジング１０と防水部材２０とをカバーするカバー部材３０を有する。
ハウジング１０は、電気・電子機器の筐体１に取り付けるための取付部１０ａを有し、本実施例では筐体１の壁面と取付部１０ａとの間にラバー等のシール板２を挟み込み、ビス３にて固定する例になっている。
本実施例では、ケーブル４２がケーブル内心線４３，４４，４５の３心の接続例を示すが、心の数に制限はない。
電線管４１は、ＰＦ管の例を示す。
【００１３】
図２，図３に示すように、ケーブル４２のケーブル内心線４３，４４，４５の芯線４３ａ，４４ａ，４５ａを防水部材２０に挿入し、次に電線管４１をこの防水部材２０に挿入し、図４に示すように下カバー３１に上カバー３２を係止させるように閉じることで、ケーブルの接続が完了するようになっている。
下カバー３１は、図３に示すようにハウジング１０に設けた両側の係止爪１４にて取り付けられている。
下カバー３１と上カバー３２とは、一方の側部をヒンジ部３３にて開閉自在に連結してあり、下カバーの係止爪３１ｂ，３１ｃに上カバーの係止孔３２ｂ，３２ｃが係止する構造例になっている。
【００１４】
次に防水構造について説明する。
図５に防水部材の外観図を示す。
（ａ）は電線管シール部２１を有するケーブル挿入孔２２側から見た斜視図、（ｂ）は内部に内心線シール部２３ａ，２４ａ，２５ａを有するハウジングシール部２３，２４，２５側から見た外観図を示す。
（ｃ）は挿入孔の内部の斜視図を示す。
図６に防水構造の断面図を示す。
ハウジング１０は樹脂製であり、ケーブル４２のケーブル内心線４３，４４，４５の挿入孔１１，１２，１３を有する。
挿入孔１１，１２，１３の奥部には、ケーブル内心線の芯線４３ａ，４４ａ，４５ａの芯線挿入孔１１ｃ，１２ｃ，１３ｃを有し、挿入孔１１，１２，１３は筒状であり、図８に示すように一部に切り込みを有する内筒部１１ａ，１２ａ，１３ａと、外筒部１１ｂ，１２ｂ，１３ｂを有する。
内筒部１１ａ，１２ａ，１３ａの方が外筒部１１ｂ，１２ｂ，１３ｂよりも長く、その外周部に防水部材２０に設けたハウジングシール部２３，２４，２５が圧接装着される。
防水部材２０のハウジングシール部２３，２４，２５の内側であって、内筒部１１ａ，１２ａ，１３ａよりも奥側に、リング状弾性片からなる内心線シール部２３ａ，２４ａ，２５ａを有し、挿入されたケーブル内心線４３，４４，４５の外周部に圧接シールする。
また、防水部材２０のケーブル挿入孔２２の外周部は、電線管４１の外周部に圧接装着される電線管シール部２１を有する。
これにより、防水部材２０をハウジングの接続部に装着し、図２，３に示すようにケーブル４２を挿入するだけで、シール接続される。
【００１５】
次に図７，図８に基づいて、ターミナル端子５０と芯線４３ａ，４４ａ，４５ａとの電気接続構造について説明する。
本実施例は、３つの芯線に対応してそれぞれ同じ構造のターミナル端子５０を用いたので、共通符号にて説明する。
ターミナル端子５０は、ベース部５１を介して下側から上側に折り返した門構え形状の弾性材からなる弾性係止接続部５２を有する。
弾性係止接続部５２は、門構え形状の内側に芯線４３ａ，４４ａ，４５ａを挿入し、門構えの内側上部の下端に設けた係止部５２ａが芯線４３ａ，４４ａ，４５ａの側部に弾性係止するようになっているが、芯線を挿入する際には係止部５２ａが仮保持部５３により開放状態に仮保持されている。
係止部５２ａの上部側には、略Ｕ次形状に折り返した接触部５２ｂを有する。
ハウジング１０には、図１に示すように開口部１５ａ，１５ｂ，１５ｃを有し、上カバー３２を閉じる際に、上カバー３２に設けた突部からなる作用部３４ａ，３４ｂ，３４ｃが、図８に示すように弾性係止接続部５２側の接触部５２ｂを仮保持部５３から外れるように押圧し、外れた係止部５２ａが芯線４３ａ，４４ａ，４５ａの側部に係止する。
上カバー３２の内面には、開口部１５ａ，１５ｂ，１５ｃをシールするシール部材３５を有する。
【００１６】
なお、図１の状態で上カバー３２を閉じる前に、ドライバー等の工具の先を開口部１５ａ，１５ｂ，１５ｃから挿入し、係止部５２ａを開倣状態から係止状態に切り換えることもでき、芯線をターミナル５０から取り外すには、この工具の先を接触部５２ｂに引っ掛けるようにして、仮保持部５３側に係止部５２ａを移動させることができる。
本実施例では、図７に示すように第２の電気接続部５４をターミナル５０に設けてもよく、芯線の先端部が突き当たるストッパー部５５を設けてある。
筐体１の内部のケーブル４ａ，４ｂ，４ｃは、ターミナル５０の先端部にビス止め５ａ，５ｂ，５ｃされた例になっているが、この接続方法に制限されない。
【符号の説明】
【００１７】
１        筐体
１０      ハウジング
１１      挿入孔
２０      防水部材
２１      電線管シール部
２３      ハウジングシール部
２３ａ    内心線シール部
３０      カバー部材
３１      下カバー
３２      上カバー
４１      電線管
４２      ケーブル
４３      ケーブル内心線
４３ａ    芯線
【図１】
2019009031.tif 000003
【図２】
2019009031.tif 000004
【図３】
2019009031.tif 000005
【図４】
2019009031.tif 000006
【図５】
2019009031.tif 000007
【図６】
2019009031.tif 000008
【図７】
2019009031.tif 000009
【図８】
2019009031.tif 000010